(57)【特許請求の範囲】
【請求項１】
椅子のフレームに固着されたシェルに、該シェルの表面を覆うクッション体を取り付けるクッション体の取付構造において、
裏面側に突出する突部を設けた前記シェルの一端を、クッション体の一端部により前記突部を取り巻くように外側から覆い、前記クッション体の一端部の縁に固着した取付片における基端部のシェル側の面に突設した突片の先端部を、前記シェルの突部の内隅に当接させ、かつ前記取付片のシェル側の面における前記突片より先端部寄りに突設した係止片を、シェルに穿設した係止孔に弾性係合させることにより、クッション体をシェルに取り付けたことを特徴とする椅子におけるクッション体の取付構造。
【請求項２】
係止孔を、シェルの一端寄りの狭幅部とシェルの内方寄りの広幅部とを、狭幅部よりも狭幅な縊れ部を介して連結した形状とし、かつ、前記係止孔に嵌合する係止片を、縊れ部よりも広幅で狭幅部よりも狭幅である前後方向を向く係止軸の前端部に、狭幅部よりも広幅で広幅部よりも狭幅の係合頭部を備えるものとし、前記係合頭部を広幅部に遊嵌した後、係止軸を、縊れ部を弾性変形させながら縊れ部の間を通過させて狭幅部に嵌合しうるようにしたことを特徴とする請求項１記載の椅子におけるクッション体の取付構造。
【請求項３】
クッション体の裏面下部を、面ファスナにより、シェルの前面下部に止着したことを特徴とする請求項１または２記載の椅子におけるクッション体の取付構造。
【発明の詳細な説明】
【０００１】
【発明の属する技術分野】
本発明は、椅子におけるクッション体の取付構造に関する。
【０００２】
【従来の技術】
この種の取付構造としては、椅子のクッション体を、背凭れや座の裏面からねじ止めして取り付けるのが一般的である。
【０００３】
【発明が解決しようとする課題】
しかし、上述のクッション体を背凭れや座にねじ止めするものでは、多数のねじを締め付けなければならず、そのねじ止め作業が煩雑である。
【０００４】
本発明は、従来の技術が有する上記のような問題点に鑑み、椅子における背凭れや座に、クッション体を、止めねじを用いることなく、簡単かつ確実に装着することができるクッション体の取付構造を提供することを目的としている。
【０００５】
【課題を解決するための手段】
本発明によると、上記課題は次のようにして解決される。
(１)椅子のフレームに固着されたシェルに、該シェルの表面を覆うクッション体を取り付けるクッション体の取付構造において、裏面側に突出する突部を設けた前記シェルの一端を、クッション体の一端部により前記突部を取り巻くように外側から覆い、前記クッション体の一端部の縁に固着した取付片における基端部のシェル側の面に突設した突片の先端部を、前記シェルの突部の内隅に当接させ、かつ前記取付片のシェル側の面における前記突片より先端部寄りに突設した係止片を、シェルに穿設した係止孔に弾性係合させることにより、クッション体をシェルに取り付ける。
【０００６】
(２)上記(１)項において、係止孔を、シェルの一端寄りの狭幅部とシェルの内方寄りの広幅部とを、狭幅部よりも狭幅な縊れ部を介して連結した形状とし、かつ、前記係止孔に嵌合する係止片を、縊れ部よりも広幅で狭幅部よりも狭幅である前後方向を向く係止軸の前端部に、狭幅部よりも広幅で広幅部よりも狭幅の係合頭部を備えるものとし、前記係合頭部を広幅部に遊嵌した後、係止軸を、縊れ部を弾性変形させながら縊れ部の間を通過させて狭幅部に嵌合しうるようにする。
【０００７】
(３)上記(１)または(２)項において、クッション体の裏面下部を、面ファスナにより、シェルの前面下部に止着する。
【０００８】
【発明の実施の形態】
以下、本発明を背凭れに適用した一実施形態を備える椅子について、図１〜図４を参照して説明する。
【０００９】
座板(１)とその表面(上面)を覆う座クッション体(２)とからなる座(３)を支持する支基(４)の両側には、左右１対の背凭れフレーム(５)(５)の下端部が枢着されている。２本の背凭れフレーム(５)(５)には、多数の通孔が所要のパターンで穿設された縦長のシェル(６)が、その上端部及び下端部が左右の背凭れフレーム(５)(５)と連結されるようにして一体成形されている。背凭れフレーム(５)及びシェル(６)は、着座者が凭れたときに、弾性撓曲可能な合成樹脂製としてある。
【００１０】
シェル(６)と背凭れフレーム(５)の互いの上端部には、図３に示すように、後方に向かってほぼ水平に延出する突部(７)が形成されている。
【００１１】
シェル(６)における突部(７)の直下には、ダルマ孔状をなす複数の係止孔(８)が左右に間隔を隔てて穿設されている。係止孔(８)は、ほぼ円形の狭幅部(９)と長円形の広幅部(10)とを、それらの間に狭幅部(９)の幅よりも狭幅な縊れ部(11)を介して上下に連結した形状としてある。
【００１２】
突部(７)には、シェル(６)及び２本の背凭れフレーム(５)(５)の表面、すなわち前面を覆う縦長のクッション体(12)の上端部が、後方に巻き込むようにして取り付けられている。
【００１３】
クッション体(12)の上端部は、左右幅が中間部の左右幅よりも狭幅であるとともに、後ろに折り返ししやすいように薄厚となっている。突部(７)を取り巻くように倒立Ｕ字状に折り返されたクッション体(12)の上端の端末には、その左右幅とほぼ等幅の左右方向を向く合成樹脂製の取付片(13)が止着されている。
【００１４】
図４に示すように、取付片(13)の上端部には、前方を向く複数の突片(14)が左右方向に所要の間隔をもって突設されている。また、取付片(13)の下端部は、左右幅が上端部の左右幅よりも狭幅であり、かつ前向きに若干湾曲されており、その前面には、下端縁の可撓性を向上させる目的で、左右方向を向く浅い凹溝(15)が全長に亘って形成されている。
【００１５】
複数の突片(14)と凹溝(15)との間の中間位置の前面には、前方を向く複数の係止片(16)が、左右方向に互いに間隔を隔てて突設されている。各係止片(16)は、前方を向く係止軸(17)と、係止軸(17)の前端部に形成され、係止軸(17)よりも左右方向に広幅の係合頭部(18)とからなっている。係止軸(17)には、弾性を向上させる目的で、前後方向に長いスリット(17a)が上下方向に貫通するように穿設されている。
【００１６】
係止軸(17)の左右幅は、係止孔(８)の狭幅部(９)に嵌合された係止軸(17)が下方に外れないように、縊れ部(11)よりも広幅で狭幅部(９)よりも狭幅となっている。一方、係合頭部(18)の左右幅は、広幅部(10)に遊嵌し、かつ狭幅部(９)から前後に抜けないように、広幅部(10)よりも狭幅で狭幅部(９)よりも広幅となっている。
【００１７】
次に、クッション体(12)をシェル(６)及び背凭れフレーム(５)に取り付ける要領を、図３に基づいて説明する。
【００１８】
まず、クッション体(12)の上端部を、シェル(６)の突部(７)の上面及び後面を前上方から巻き込むように、突部(７)に被せた後、突部(７)の下面に、取付片(13)の複数の突片(14)の上面を後方から当接させる(図３(ａ)参照)。ついで、突片(14)の先端部を突部(７)の内隅に後下方から当てた状態で、取付片(13)の下端部を突片(14)の先端部を回動中心として、前方に回動させる。
【００１９】
取付片(13)の回動途中で、各係止片(16)の係合頭部(18)を広幅部(10)に遊嵌し、その後さらに取付片(13)を前方に回動させると、係止軸(17)が、縊れ部(11)を弾性変形させつつ、下方から上方に通過し、狭幅部(９)に嵌合される。それとほぼ同時に、取付片(13)の下端部は、シェル(６)の裏面に当接する。この時、係止片(16)は、広幅な係合頭部(18)により前後へ抜け止めされるとともに、狭幅な縊れ部(11)により、下方へ抜け止めされる。
【００２０】
最後に、クッション体(12)の裏面下端部を、例えば面ファスナ(19)等の適宜の公知の取付手段によって、シェル(６)の前面下部に止着する。
【００２１】
本発明を座(３)に適用した第２の実施形態を備える椅子について、図１及び図５を参照して簡潔に説明する。平面視方形をなす座クッション体(２)の前端部は、上述したクッション体(12)の上端部と同様に、下向きに折り返ししやすいように狭幅かつ薄厚となっており、前端部の下面には、クッション体(12)に固着された取付片(13)と同様の構成の取付片(20)が固着されている。
【００２２】
第１実施形態におけるシェル(６)に相当する座板(１)は、前端部に裏面側、すなわち下方に向かって突出する突部(21)が形成されており、突部(21)の後方には、複数のダルマ孔状の係止孔(22)が、左右方向に互いに間隔を隔てて穿設されている。
【００２３】
座クッション体(２)は、上述したクッション体(12)と同様の取付要領によって、座板(１)に、簡単かつ確実に取り付けられる。
【００２４】
上述した実施形態においては、いずれも、取付片をクッション体と別体としているが、クッション体と一体的に形成してもよい。また、取付片を、背凭れにおいてはクッション体の上縁に、座においては座クッション体の前縁に固着しているが、クッション体の両側縁に設けてもよい。
【００２５】
【発明の効果】
請求項１記載の発明によると、椅子における背凭れまたは座のシェルに、クッション体を、止めねじを用いることなく、簡単かつ確実に装着することができる。また、シェルの側端部に形成された突部によって、取付片の外側への移動が規制されるので、取付片が固着されたクッション体の外側方へのずれを防止することができる。また、この突部は、シェルの上端部を補強するとともに、椅子を移動する際の取手ともなる。
【００２６】
請求項２記載の発明によると、クッション体をシェルに簡単かつ強固に取り付けることができる。
【００２７】
請求項３記載の発明によると、クッション体の下部を、シェルに簡単に取り付けることができる。
【図面の簡単な説明】
【図１】  本発明の第１及び第２の実施形態を備える椅子の側面図である。
【図２】  同じく、背凭れ上部の背面図である。
【図３】  同じく、クッション体をシェルに取り付ける取付要領を示す上部の縦断側面図である。
【図４】  同じく、取付片とシェルとの分解斜視図である。
【図５】  本発明の第２の実施形態を備える椅子の座の前端部の拡大縦断側面図である。
【符号の説明】
(１)座板
(２)座クッション体
(３)座
(４)支基
(５)背凭れフレーム
(６)シェル
(７)突部
(８)係止孔
(９)狭幅部
(10)広幅部
(11)縊れ部
(12)クッション体
(13)取付片
(14)突片
(15)凹溝
(16)係止片
(17)係止軸
(17a)スリット
(18)係合頭部
(19)面ファスナ
(20)取付片
(21)折曲部
(22)係止孔
【図１】
0004484352.tif 000002
【図２】
0004484352.tif 000003
【図３】
0004484352.tif 000004
【図４】
0004484352.tif 000005
【図５】
0004484352.tif 000006